(57)【特許請求の範囲】
【請求項１】
放電空間を気密に包囲し、ランプ点灯時に蒸発可能な成分を含むイオン化可能な充填物を収容する光伝達放電容器と、開口部を有し前記ランプ点灯時に蒸発可能な成分を収容する保持器と、前記放電空間と連通する管の中に前記保持器を固定する弾性体と、前記放電空間内で放電を維持する手段とを、備えている低圧放電ランプにおいて、
前記弾性体は、前記ランプを点灯させるのに十分な量の前記ランプ点灯時に蒸発可能な成分の蒸気が前記保持器の開口部を通過できるように、前記保持器の開口部の中に緊締されている第１の部分と、
前記管内に緊締装着により収容されている、折り曲げられた第２の部分と、を有する、
ことを特徴とする低圧放電ランプ。
【請求項２】
前記弾性体はワイヤである、
請求項１に記載の低圧放電ランプ。
【請求項３】
前記ワイヤの前記第１の部分は、太さを増した端である、
請求項２に記載の低圧放電ランプ。
【請求項４】
前記ワイヤの第１の部分はＵ字形に曲げられている、
請求項２に記載の低圧放電ランプ。
【請求項５】
前記弾性体は、補助アマルガムを支持している、
請求項１ないし４のいずれか１項に記載の低圧放電ランプ。
【請求項６】
前記弾性体は、前記放電空間内へ延びている、
請求項５に記載の低圧放電ランプ。
【発明の詳細な説明】
本発明は、放電空間を気密に包囲し、蒸発可能な成分を含むイオン化できる充填物が入っている光伝達放電容器と、開口部を持つ保持器と、上記放電空間に連通している管状部内に該保持器を固定する弾性体と、上記放電空間内で放電を維持する手段とが設けられて成る低圧放電ランプに関する。
そのような、蒸発可能な成分として水銀を含む低圧放電ランプはドイツ国特許明細書第25 11 417 AS号から既知である。その保持器はランプの製造工程中に水銀を分散するように設計してある。保持器を収納している管が排出管として用いられ、それを通して製造工程中に放電容器を排気したり充填したりする。放電容器の端部に弾性体の一方の端部が溶着され、排出管の壁部に対して弾性体の他方の端部が緊締されている。水銀の損失を防ぐために、放電容器の評価及び充填が終わり、例えば高周波誘導で保持器を加熱して溶融させることにより排出管を封止するまで保持器は開かない。この既知のランプの製造工程中は、保持器に多くの処理、例えば保持器を封止する、弾性体を管内に固定する、保持器を位置決めする、保持器を開く等を行う必要があり不都合である。
本発明の目的は、冒頭に記載のような低圧放電ランプの、製造過程がもっと簡単なものを提供することである。この目的のために、本発明による低圧放電ランプは、上記弾性体が、保持器の開口部に緊締されている第１の部分と、上記管状部内に緊締されている折り曲げた第２の部分とを有することを特徴とする。本発明による低圧放電ランプの製造過程では、弾性体の第１の部分を保持器の開口部に設け、それに続いて、水銀、アマルガム、アマルガム形成金属、又はアマルガム形成合金のような素材を保持器内に設けた後で、この保持器を所定位置でピンチする。これにより保持器が弾性体に固定されると同時に保持器の開口部が小さくなる。その後、保持器を管状部内に入れることができる。このとき弾性体の折れ曲がった第２の部分により、保持器は管状部内に固定された状態に維持される。その結果、ランプを点灯させるのに十分の量の水銀蒸気が得られた開口部を通過しうることを確かめた。また、この保持器の開口部は十分小さいので液体又は固体の形態で素材が保持器から失われるのが防止される。また、所望に応じて、放電空間に連通している管状部を、製造過程中に冷却していかなる素材も保持器から蒸発しないようになるまで閉じさせることもできる。
弾性体は例えば金属テープとして構成する。実用的な実施例では、弾性体はワイヤとして、その太さは例えば10分の数ミリメートルから約１ミリメートルまでとする。こうすると弾性体はたやすく保持器に固定できる。
本発明によるランプにおける保持器は、製造過程で比較的大きな機械的負荷を受けることがある。この場合、振動の影響により上記ワイヤが保持器の開口部からゆるむことことがある。好適な実施例では、ワイヤの第１の部分を太くした端部にする。これにより、振動でワイヤが外れるのを防止する。
更に好適な実施例では、このワイヤの第１の部分をＵ字形に曲げる。このことも保持器内でのワイヤの第１の端部の固定に役立つ。更に、保持器に残される開口部の大きさは、ワイヤの太さと、Ｕ字の幅との選択、すなわちＵ字の両脚の中心線間の距離の選択により容易に選定できる。
イオン化できる充填物の中の蒸発可能な成分として水銀を使用する場合、保持器及び弾性体は、アマルガムを形成しない金属であって低圧水銀放電ランプにおいて普通に使われるもの、例えばニオブ、タンタル、鉄、ニッケル、クロム、又はこれらの合金から製造することができる。
好適な実施例では、弾性体が補助アマルガムを支持する。そうすると補助アマルガムを別途に固定する必要がない。補助アマルガムは弾性体に直接取り付けることができるが、その代わりに、例えば細線網状体から形成した担体上に設けることもできる。
弾性体を放電空間中に延ばしておけば、補助アマルガムの良好な動作にとって好適である。
放電を持続するための手段の性質は本発明にとって重要なものではない、ということは自明である。このような手段は例えば１対の電極で作ることができ、それは放電容器の中に在ってもそうでなくてもよい。その代わりに、該手段はコイルとして構築して、それを用いて点灯中に交流磁界を放電空間に生成することができる。コイルを放電空間の外側に位置させると、放電容器内への電気的なリードスルー（lead-throughs）が避けられるので好適である。
本発明による低圧放電ランプのこれら及びその他の態様が図面を引用して以下に詳細に説明される。
図１は低圧放電ランプを示す図で、このランプには包囲部11及び凹部12を持つ光伝達放電容器10が設けられている。この放電容器10は、放電空間13を気密に封止しており、この場合には水銀である蒸発可能な成分と、稀ガスのネオン及びアルゴンとを組み合わせたイオン化できる充填物が封入してある。ここに示す実施例では、この放電容器はその内面に発光層14を有する。凹部12は放電空間13に面する端12aを有しており、ここから内径4.6mmの管状部15が、放電空間13の内に延在している。管状部15はその口部15aを介して放電空間13と連通している。管状部15はランプの製造過程では排出管として用いられる。管状部15内には、保持器21が弾性体20により固定されている。放電空間13内で放電を維持する手段30は、凹部12に設けられたコイル31により形成されている。このコイルは、管状部15の周りの軟磁性素材のコア32を取り巻いている。コイル31は、導線34a,34bを持つケーブル34を介して、電源ユニット（これは図示されていない）に接続されている。
図２及び図３は、弾性体20の第１の部分20a（斜線を付してある）が、どのように金属製の保持器21の開口部21a内に緊密にピンチされているかを更に詳細に示す図である。折れ曲がった第２の部分20bが管状部15内に緊締されている。ここでは保持器21は椀形のニオブとして構築されている。この保持器の長さ、外径、壁厚は、それぞれ15mm，３mm，0.7mmである。弾性体は太さが0.7mmのニッケル鉄合金の線で構築されている。保持器21の開口部21aに緊締されている弾性体20の第１の部分20aはＵ字形でその幅は２mmである。弾性体20の第２の部分20bはＳ字状に曲げられている。ここではBiInHgであるところのアマルガム22が保持器21内に収納されており、これは破線で示されている。弾性体20は放電空間13内に延びて補助アマルガム23を支持している。この場合の補助アマルガム23は、弾性体20の保持器21とは反対の端20cにあるニッケル鉄の細線網状体上に設けられた４mgのPbSnである。別の実施例では、弾性体それ自体が補助アマルガムの支持体として用いられる。この実施例の場合には、弾性体を例えばインジウムで被覆するが、その被膜重量は例えば0.04mg/cmから0.25mg/cmまでにする。
【図面の簡単な説明】
図１は、本発明による低圧放電ランプの一実施例を示す図である。
図２は、保持器を更に詳細に示す図であり、この図では弾性体の第１の部分は斜線で示されている。
図３は、図２のIII方向から見た保持器の立面図である。
【図１】
0004068169.tif 000002
【図２】
0004068169.tif 000003
【図３】
0004068169.tif 000004